(57)【要約】【課題】ホールを備える吸湿剤を使用する有機電界発光表示装置を供給する。【解決手段】本発明は吸湿剤にホールを形成することにより吸湿剤接着時に発生する気泡を防止する有機電界発光表示装置に関するもので、下部絶縁基板１００上に形成された発光素子１１０と、この発光素子１１０を封止するための上部基板１２０と、を含み、前記上部基板１２０は吸湿剤処理部に吸湿剤１３０を備え、前記吸湿剤１３０は、この吸湿剤１３０を貫通するホール１３５を少なくとも一つ備える有機電界発光表示装置を供給することを特徴とする。【選択図】図１
2005150089.tif 000002
【特許請求の範囲】
【請求項１】
前記下部絶縁基板上に形成された発光素子と、
前記発光素子を封止するための上部基板とを含み、
前記上部基板は、吸湿剤処理部に吸湿剤を備え、前記吸湿剤は、この吸湿剤を貫通するホールを少なくとも一つ備えることを特徴とする有機電界発光表示装置。
【請求項２】
前記上部基板は、吸湿剤が位置することができるリセスを有することを特徴とする請求項１に記載の有機電界発光表示装置。
【請求項３】
前記吸湿剤のホールは、前記吸湿剤の接着時に気泡が発生することを防止するホールであることを特徴とする請求項１に記載の有機電界発光表示装置。
【請求項４】
前記吸湿剤のホールは、円形（ｃｉｒｃｌｅ  ｔｙｐｅ）、三角形及び四角形のうちどれか一つであることを特徴とする請求項１に記載の有機電界発光表示装置。
【請求項５】
前記吸湿剤のホールは、円形であることを特徴とする請求項４に記載の有機電界発光表示装置。
【請求項６】
前記吸湿剤のホールが円形である場合、前記ホールの直径は１ｍｍ以上であることを特徴とする請求項５に記載の有機電界発光表示装置。
【請求項７】
前記吸湿剤のホールの直径は、１ｍｍないし２ｍｍであることを特徴とする請求項６に記載の有機電界発光表示装置。
【請求項８】
前記ホールが前記吸湿剤で占める面積は、前記吸湿剤面積の６％以下であることを特徴とする請求項１に記載の有機電界発光表示装置。
【請求項９】
前記ホールが前記吸湿剤で占める面積は、前記吸湿剤面積の１％ないし６％であることを特徴とする請求項８に記載の有機電界発光表示装置。
【請求項１０】
前記吸湿剤ホールの数は、１３０００個／ｍ２ないし２００００個／ｍ２であることを特徴とする請求項１に記載の有機電界発光表示装置。
【請求項１１】
前記吸湿剤は、１ｃｍ２当り少なくとも一つ以上のホールを備えることを特徴とする請求項１に記載の有機電界発光表示装置。
【請求項１２】
前記吸湿剤処理部の深さは、３５０μｍ以下であることを特徴とする請求項１に記載の有機電界発光表示装置。
【請求項１３】
前記吸湿剤は、吸湿物質膜と接着物質膜からなり、前記接着物質膜が前記上部基板に吸湿剤を固定させる役割を遂行することを特徴とする請求項１に記載の有機電界発光表示装置。
【請求項１４】
前記吸湿物質膜は、酸化バリウム（ＢａＯ）、炭酸カルシウム（ＣａＣＯ３）、酸化カルシウム（ＣａＯ）、酸化イン（Ｐ２Ｏ５）、ゼオライト（ｚｅｏｌｉｔｅ）、シリカゲル（ｓｉｌｉｃａｇｅｌ）、アルミナ（ａｌｕｍｉｎａ）からなる群から選択された少なくとも一つ以上の物質からなっていることを特徴とする請求項１３に記載の有機電界発光表示装置。
【請求項１５】
前記吸湿物質膜は、２００μｍ以下の厚みを有することを特徴とする請求項１３に記載の有機電界発光表示装置。
【発明の詳細な説明】
【技術分野】
【０００１】
本発明は、有機電界発光表示装置に関するもので、さらに詳しく説明すると、吸湿剤に吸湿剤を貫通するホールを形成することによって吸湿剤接着時に発生する気泡を防止することができる有機電界発光表示装置（Ｏｒｇａｎｉｃ  Ｅｌｅｃｔｒｏ  Ｌｕｍｉｎｅｓｃｅｎｃｅ  Ｄｉｓｐｌａｙ）に関する。
【背景技術】
【０００２】
最近、有機電界発光表示装置は、ＣＲＴとかＬＣＤと比べて薄膜形、広い視野角、軽量、小型、早い応答速度及び少ない消費電力等の長所によって次世代表示装置として注目されている。特に、有機電界発光表示装置は、アノード電極、有機物質膜、カソード電極の単純な構造となっているために簡単な製造工程により容易に製造することができるメリットがある。
【０００３】
従来の有機電界発光素子は、絶縁基板上に形成された有機発光素子と、この有機発光素子上部で、前記下部絶縁基板に対向する上部基板からなる。
【０００４】
しかしながら、従来の有機電界発光表示装置は、有機発光層材料とカソード電極物質が耐湿性及び耐酸化性が低くてディスプレイの動作に烈火を発生させ、このような烈火は黒点（ｄａｒｋ  ｓｐｏｔ）と言われる非発光領域を生成させる。時間が過ぎることにより黒点領域は周囲に拡散されて結局、素子全体が発光されなくなる問題点がある。
【０００５】
従って、上述の問題点を解決するために水分及び酸素にできるだけ露出させないように封止（ｅｎｃａｐｓｕｌａｔｉｏｎ）と言う工程を実施することになるが、この工程はカニスタ、ガラス材質の封止基板に吸湿剤処理部ホームを形成して、その内部に吸湿剤を固定させた後、窒素（Ｎ２）、アルゴン（Ａｒ）等の不活性気体雰囲気の下でシラントを媒介として前記下部絶縁基板と上部基板とを膠着することである。
【０００６】
この時、前記吸湿剤は、吸湿物質膜が接着物質膜上に形成された構造で、およそ２００μｍの厚みを有し、前記吸湿物質膜は、酸化バリウム（ＢａＯ）、炭化カルシウム（ＣａＣＯ３）、酸化カルシウム（ＣａＯ）、酸化燐（Ｐ２Ｏ５）、ゼオライト（ｚｅｏｌｉｔｅ）、シリカゲル（ｓｉｌｉｃａｇｅｌ）、アルミナ（ａｌｕｍｉｎａ）等で水分と接触して物理吸着（ｐｈｙｓｉｓｏｒｐｔｉｏｎ）や化学吸着（ｃｈｅｍｉｓｏｒｐｔｉｏｎ）により水分を除去する役割をする。
【発明の開示】
【発明が解決しようとする課題】
【０００７】
しかしながら、前記吸湿剤は、接着時に接着不良により吸湿剤と上部基板との間に気泡が発生する問題点がある。上記のように気泡が発生する場合は、前記吸湿剤と前記有機発光素子とが触れ合い有機発光素子が破壊されるという問題が生じる。
【０００８】
上記のような問題点を解決するために有機電界発光表示装置の上部基板の吸湿剤処理部を３５０μｍ位に深く形成する。しかし、吸湿剤処理部を深く形成する場合は、上部基板の厚みが増えて有機電界発光表示装置の軽量化が阻害される。
【０００９】
本発明の目的は、上述の従来技術の問題点を解決しようとするもので、本発明は、吸湿剤の接着時に気泡が発生するのを防止するために前記吸湿剤を貫通するホールを備える吸湿剤を使用する有機電界発光表示装置を供給することを目的とする。
【課題を解決するための手段】
【００１０】
上述の目的を果たすために本発明は、前記下部絶縁基板上に形成された発光素子と、前記発光素子を封止するための上部基板と、を含み、前記上部基板は吸湿剤処理部に吸湿剤を備え、前記吸湿剤は、吸湿剤を貫通するホールを少なくとも一つ備える有機電界発光素子を供給することを特徴とする。
【００１１】
前記吸湿剤のホールは、前記吸湿剤の接着時に気泡が発生することを防止するホールであることが好ましい。前記吸湿剤のホールは、円形（ｃｉｒｃｌｅ  ｔｙｐｅ）、三角形及び四角形とのうちどれか一つであることが好ましく、もっとも好ましいのは、前記吸湿剤のホールは円形（ｃｉｒｃｌｅ  ｔｙｐｅ）であることである。前記吸湿剤のホールが円形である場合、前記ホールの直径は１ｍｍ以上であることが好ましく、もっとも好ましいのは、前記吸湿剤のホールの直径は１ｍｍないし２ｍｍであることである。前記ホールが前記吸湿剤から占める面積は、前記吸湿剤面積の６％以下であることが好ましく、もっとも好ましいのは、前記ホールが吸湿剤から占める面積は前記吸湿剤面積の１％ないし６％であることである。前記吸湿剤ホールの数は１３０００個／ｍ２ないし２００００個／ｍ２であることが好ましい。前記吸湿剤は１ｃｍ２当り少なくとも一つ以上のホールを備えることが好ましい。前記吸湿剤処理部の深さは３５０μｍであることが好ましい。
【００１２】
前記吸湿剤は、吸湿物質膜と接着物質膜からなり、前記接着物質膜が前記上部基板に吸湿剤を固定させる役割を遂行する。前記吸湿物質膜は、酸化バリウム（ＢａＯ）、炭化カルシウム（ＣａＣＯ３）、酸化カルシウム（ＣａＯ）、酸化燐（Ｐ２Ｏ５）、ゼオライト（ｚｅｏｌｉｔｅ）、シリカゲル（ｓｉｌｉｃａｇｅｌ）、アルミナ（ａｌｕｍｉｎａ）からなる群で選択された少なくとも一つ以上の物質でなっていることが好ましい。前記吸湿物質膜は２００μｍ以下の厚みを有することが好ましい。
【発明を実施するための最良の形態】
【００１３】
以下、添付された図面に基づいて本発明の実施例を説明する。
【００１４】
図１は、本発明の実施例による、有機電界発光表示装置を示す断面図である。図１に示された有機電界発光表示装置は、下部絶縁基板１００、この下部絶縁基板１００上に形成された有機発光素子１１０、吸湿剤が付着される吸湿剤処理部に少なくとも一つのホール１３５を有している吸湿剤１３０を備える上部基板１２０からなっている。この時、前記吸湿剤１３０のホール１３５は、吸着剤１３０が前記上部基板１２０に接着される時、発生する気泡を防止する役割をする。
【００１５】
図１を参照すると、下部絶縁基板１００上に有機発光素子１１０を形成する。この時、前記有機発光素子１１０は、第１電極、有機発光層、第２電極からなり、前記第１電極がアノード電極として作用する場合には、第２電極はカソード電極として作用し、前記第１電極がカソードとして作用する場合には、第２電極はアノード電極として作用する。
【００１６】
また、前記有機発光層は、その機能によって多層で構成されることになるが、一般的に発光層（Ｅｍｉｔｔｉｎｇ  ｌａｙｅｒ）を含み、正孔注入層（ＨＩＬ）、正孔伝達層（ＨＴＬ）、正孔阻止層（ＨＢＬ）、電子輸送層（ＥＴＬ）、電子注入層（ＥＩＬ）のうち少なくとも一つ以上の層を含む多層構造からなる。
【００１７】
前記有機発光素子１１０を形成した後、吸湿剤処理部に吸湿剤１３０が形成されている上部基板１２０を利用して前記有機発光素子１１０を備える下部絶縁基板１００を封止する。
【００１８】
この時、前記吸湿剤１３０は、酸化バリウム（ＢａＯ）、炭化カルシウム（ＣａＣＯ３）、酸化カルシウム（ＣａＯ）、酸化燐（Ｐ２Ｏ５）、ゼオライト（ｚｅｏｌｉｔｅ）、シリカゲル（ｓｉｌｉｃａｇｅｌ）、アルミナ（ａｌｕｍｉｎａ）からなる群から選択された少なくとも一つ以上の物質からなる吸湿物質膜と、上部基板に吸湿剤を固定させるためのステッカーなどの接着物質膜からなり、前記吸湿剤１３０を貫通するホールを少なくとも一つ以上備える構造を有する。
【００１９】
図２（Ａ）は、本発明の実施例による、有機電界発光表示装置に使用される吸湿剤を説明するための平面構造図であり、図２（Ｂ）は、図２（Ａ）の切断線Ｉ−Ｉ′に沿う断面図である。
【００２０】
図２（Ａ）及び図２（Ｂ）を参照すると、本発明の実施例による吸湿剤２００は、吸湿物質膜２２０が接着物質膜２１０上に形成された構造を有し、前記吸湿剤２００を貫通する多数のホール２３０を備える。前記吸湿物質膜２２０は、吸湿作用をし、前記接着物質膜２１０は、吸湿剤を上部基板に固定させる役割を遂行する。また、前記吸湿物質膜２２０は２００μｍ以下の厚みを有するのが好ましい。
【００２１】
この時、前記ホール２３０は、吸湿剤２００を上部基板１２０に接着する時、気泡が発生するのを防止するために形成されるもので、円形、四角形、または三角形等の多様な形状で形成することができる。しかしながら、効果的に気泡が発生するのを防止するためには、前記ホール２３０は円形（ｃｉｒｃｌｅ  ｔｙｐｅ）であるのが好ましい。前記円形のホール２３０は、１ｍｍ以上の直径を有するのが好ましく、もっとも好ましいのは、１ｍｍないし２ｍｍの直径を有することである。これは、前記円形のホール２３０の直径があまりに小さい場合は、吸湿剤２００の接着時に発生しうる気泡を除去することが難しく、また、前記円形のホール２３０の直径があまりに大きい場合は吸湿剤がフィルム（ｆｉｌｍ）状を維持することが難しいと共に、工程上の難しさもあるからである。
【００２２】
また、前記吸湿剤２００に形成されて気泡が発生するのを防止するホール２３０の面積は、吸湿剤２００全体面積の６％以下であることが好ましく、もっとも好ましいのは１％ないし６％である。これは、前記気泡が発生するのを防止するホール２３０の面積が前記吸湿剤２００で占める面積が大きくなれば前記吸湿剤２００の吸湿能力が低下するためである。
【００２３】
更に、前記吸湿剤２００に形成されて気泡が発生するのを防止するホール２３０の数は、吸湿剤２００の面積が増えることによって増加する。好ましくは，前記ホールは１３０００個／ｍ２ないし２００００個／ｍ２であるのが好ましい。前記吸湿剤２００は、１ｃｍ２当り少なくとも一つ以上の気泡が発生するのを防止するホール２３０を備えるのが好ましい。
【００２４】
上述したような有機電界発光表示装置は、吸湿剤１３０，２００と上部基板１２０との間に気泡が発生するのを防止し、前記吸湿剤１３０，２００が前記有機発光素子１１０と触れ合い有機発光素子１１０が破壊されるのを防ぐことができる。
【００２５】
また，気泡が発生することを防止することによって吸湿剤処理部の深さを３５０μｍ以下にすることができる。従って、上部基板１２０の厚みを薄くすることができ、主にモバイルディスプレイ（ｍｏｂｉｌｅ  ｄｉｓｐｌａｙ）に使用される有機電界発光表示装置の軽量化にメリットがある。
【００２６】
上述したような本発明によると、本発明は吸湿剤の接着時に気泡が発生するのを防止するために、前記吸湿剤を貫通するホールを備える前記吸湿剤を使用する有機電界発光表示装置を供給する。
【００２７】
上述では、本発明の好ましい実施例を参照しながら説明したが、当該技術分野の熟練された当業者は、上述の特許請求の範囲に記載された本発明の思想及び領域から逸脱しなし範囲内で、本発明を多様に修正及び変形させられることが理解できるだろう。
【図面の簡単な説明】
【００２８】
【図１】本発明の実施例による、有機電界発光表示装置を示す断面図である。
【図２】（Ａ）は本発明の実施例による、有機電界発光表示装置に使用される吸湿剤を説明するための平面構造図であり、（Ｂ）は（Ａ）の切断線Ｉ−Ｉ′に沿う断面図である。
【符号の説明】
【００２９】
１００  下部絶縁基板
１１０  有機発光素子
１２０  上部基板
１３０、２００  吸湿剤
１３５、２３０  ホール
２１０  接着物質膜
２２０  吸湿物質膜
【図１】
2005150089.tif 000003
【図２】
2005150089.tif 000004